(57)【要約】  レールの溝に沿って移動可能な摺動体（１）及び連結部材（１１．１、１１．２）を介して摺動体（１）に連結され且つレールの少なくとも一方の側溝に沿って降下可能な保持具（２、２．１、２．２）を備えた取付け具（Ｐ１、Ｐ２、Ｐ３、Ｐ４）を用いて物体をレールに固定する装置であって、保持具（２、２．１、２．２）が少なくとも１つの力発生源（１９、２１、２３）を介して摺動体（１）及び／又は回転小板（１７、１７．１，１７．２）に支持されている。又、該保持具は少なくとも２つの垂直方向の位置においてレールに固定されていることを特徴とする取付け装置。
2008514882.tif 000002
【特許請求の範囲】
【請求項１】
レールの溝に沿って移動可能な摺動体（１）及び連結部材（１１．１、１１．２）を介して摺動体（１）に連結され且つレールの少なくとも一方の側溝に沿って降下可能な保持具（２、２．１、２．２）を備えた取付け具（Ｐ１、Ｐ２、Ｐ３、Ｐ４）を用いて物体をレールに固定する装置であって、
保持具（２、２．１、２．２）が摺動体（１）及び／又は少なくとも１つの力発生源（１９、２１、２３）を介して回転小板（１７、１７．１，１７．２）に支持され、保持具（２、２．１、２．２）は少なくとも２つの垂直方向の位置においてレールに固定されることを特徴とするレールへの物体固定装置。
【請求項２】
前記レールは航空機の座席用レールであることを特徴とする請求項１に記載のレールへの物体固定装置。
【請求項３】
前記力発生源はコイルバネ（１９、２１、３１）であることを特徴とする請求項１又は請求項２に記載のレールへの物体固定装置。
【請求項４】
コイルバネ（１９、３１）は連結部材（１１．１、１１．２）を取り囲んでいることを特徴とする請求項３に記載のレールへの物体固定装置。
【請求項５】
連結部材（１１．１、１１．２）は角状頭部（２７）を備えていることを特徴とする請求項１ないし請求項４のいずれか１項に記載のレールへの物体固定装置。
【請求項６】
保持具（２．１）の凹部（２６）と噛合う横断ボルト（２７）が連結部材（１１．２）から突出していることを特徴とする請求項１ないし請求項５のいずれか１項に記載のレールへの物体固定装置。
【請求項７】
凹部（２６）が横断ボルト（２７）を上昇させる上り面（２８）を備えていることを特徴とする請求項６に記載のレールへの物体固定装置。
【請求項８】
係止用凹部（２９）へと案内する上り面（２７）は、凹部（２６）を９０度回転した方向に形成されていることを特徴とする請求項７に記載のレールへの物体固定装置。
【請求項９】
連結部材（１１．１）に回転小板（１７、１７．１）が配置されていることを特徴とする請求項１ないし請求項５のいずれか１項に記載のレールへの物体固定装置。
【請求項１０】
保持具（２．１、２．２）の上方の回転小板（１７、１７．１）にストッパー（１０、３６）及び／又は少なくとも１つの係止用の切欠き（９．１、９．２）又は係止用凹部（３８、３９）が配置されていることを特徴とする請求項９に記載のレールへの物体固定装置。
【請求項１１】
回転小板（１７．１）に２つの互いに向き合った係止用又はストッパー用突起（３４、３５）を備え、それら突起の係止用凹部（３８、３９）が保持具（２．２）の側条（８．３、８．４）に配置されていることを特徴とする請求項１０に記載のレールへの物体固定装置。
【請求項１２】
回転小板（１７．１）が把持部（３２）を備えていることを特徴とする請求項１０又は請求項１１に記載のレールへの物体固定装置。
【請求項１３】
回転小板（１７）と角状頭部（１２．１）の間に拘束リング（１８）が備えられていることを特徴とする請求項９ないし請求項１２のいずれか１項に記載のレールへの物体固定装置。
【請求項１４】
回転小板（１７）の下に、一端が該回転小板に連結され且つ他端が摺動体（１）に連結された回転バネ（１９）が配置されていることを特徴とする請求項９ないし請求項１３のいずれか１項に記載のレールへの物体固定装置。
【請求項１５】
回転小板（１７）の下に、他端が摺動体（１）に支えられた筒（２５）が配置されていることを特徴とする請求項９ないし請求項１４のいずれか１項に記載のレールへの物体固定装置。
【請求項１６】
連結部材（１１．１）が、摺動体（１）のネジ孔（１５）と噛合っているネジ部（１４）を備えことを特徴とする請求項１ないし請求項１５のいずれか１項に記載のレールへの物体固定装置。
【請求項１７】
ネジ部（１４）がネジ孔（１５）を貫通し、ネジ孔（１５）の後方においてピン（１６）により貫通されていることを特徴とする請求項１６に記載のレールへの物体固定装置。
【発明の詳細な説明】
【技術分野】
【０００１】
本発明は、摺動体を用いてレールに沿った溝内を可動とし且つレールの側面の溝内に取り付け可能且つ回転可能な連結部材を介して摺動体と連結可能な保持具を備えた取付け具を用いてレールへ物体を固定する装置に関する。
【背景技術】
【０００２】
本発明による装置は航空機の座席をレールの所定の位置に固定するために提供されるが、以下に記載される実施例に限定されるものではない。
【０００３】
航空機の座席は、航空機の予約状態に応じてしばしばレールに沿ってずらすことが要求され、できるだけ迅速に行なう必要があることは知られている。座席は所定の加速度及び減速度を維持する必要があるので、ずらした後に所望の位置に確実に固定する必要がある。
【０００４】
最近では大抵の航空機には、レールが装備されていることは周知である。詳細な例示は独国実用新案第２０２１８７８０号明細書に示されている。航空機の座席のレールは摺動体を受容するアンダーカットされた溝を備え、溝の両側は摺動体に対応する凹部へと変形されている。
【０００５】
座席をこのようなレールに固定するために、側面に備えた摺動シューと共にアンダーカットされた溝内を摺動して移動できる摺動体を備えた取付け具が知られている。連結部材を備えた摺動体を航空機のレールの所定の位置に固定するために、摺動体には保持具が載置されている。この保持具は側面にそれぞれ２つの摺動シューの間に形成された隆起部を備えている。保持具が降下すると隆起部は座席のレールの上述した凹部へと入り込み、取付け具を更にずらせなくなる。
【０００６】
保持具を降下させて固定するため、保持具を押圧するネジが備えられ、それによって保持具は下方へ降下する。この場合、保持具は降下並びに上昇できるが、長いネジが必要であることが問題である。このことは極めて多大な時間を要し、煩雑であり、時には取付け具が座席のレールの所定の位置に固定されないことも起こるので、がたがた音、更に取付け具に緩みが生じ、極めて好ましくない。
【発明の開示】
【発明が解決しようとする課題】
【０００７】
本発明の目的は上記問題点が解決される迅速に開放され且つ迅速に別の所望の位置に固定できる締付け具を備えた装置を提供することである。
【課題を解決するための手段】
【０００８】
この課題は、保持具が少なくとも１つの力発生源を介して摺動体及び／又は回転部材に支持され、該保持具は少なくとも２つの垂直方向の位置においてレールに固定されように構成することにより解決される。
【発明を実施するための最良の形態】
【０００９】
上述のように、本発明では航空機の座席のレールに取付け具を固定し且つ座席の位置を変えることができる。
【００１０】
力発生源としてコイルバネが提供されるが、板バネなどを使用してもよい。コイルバネは連結部材を包んで内部から支えるので、コイルバネを選択するのが最適である。
【００１１】
スパナが使えるように、連結部材は角状頭部を備えることが好ましい。
【００１２】
本発明による簡単な実施例では、連結部材、特に連結部材の角状頭部から、取付け具がずらされた状態において保持具の凹部と嵌合する横断ボルトが突出している。その際、角状頭部も保持具に埋没した状態になる。
【００１３】
横断ボルトを滑り落とし係止凹部へと案内するために、凹部は上り面を形成することが好ましく、横断ボルトは約９０度回転され凹部へと落込む。
【００１４】
この実施例では、保持具は手動で下方に押圧され、角状頭部が保持具から突き出る。角状頭部がスパナにより約９０度回転されると、横断ボルトは係止凹部と嵌合し、保持具は座席のレールの係止凹部から外れなくなる。
【００１５】
改良された実施例では、連結部材に回転小板が配置されている。この回転小板は、取付け具がずらされた状態において保持具に受容されるように形成されている。しかし、取付け具を固定するために、保持具をバネの力に抗して手動で下方へ押圧すると、回転小板は保持具から突出し、約９０度回転できるようになる。その際、回転小板は保持具と交差するので、ずらされた状態へは戻れなくなる。
【００１６】
ここにおいて、連結部材、例えばネジボルトが保持具を貫通し且つそのネジ部を摺動体のネジ孔と噛合わせて下方へ回転させると、回転小板も保持具を下方へ押圧し、摺動体は上昇するので、摺動シューと保持具の下端の間において、取付け具が座席のレールの縁に包まれることにより固定される。これにより、がたつきに起因する騒音が回避される。
【００１７】
上述のように、保持具は一度バネの力に抗して下方へ押圧されてもよい。最初は取付け具が所望の位置へずらされ、保持具はバネの力に抗して下方へ押圧されるので、保持具の隆起部は座席のレールの凹部へ入り込むことができる。この場合、保持具が下方へ押圧され且つ保持具の側条により回転小板を回転させる必要があるので、両手が必要となる。
【００１８】
別の実施例では、回転小板の配置は開放された状態に保たれ、座席のレールに沿って操作できるので、片手だけでよい。このため、回転小板には、保持具の側条中の係止用凹部に収まる係止用突起又はストッパー用突起が備えられ、これにより開放された状態が保たれる。
【００１９】
所望の位置に達した後に約９０度回転させるため回転小板が必要となり、回転により係止用突起又はストッパー用突起は凹部から滑り出し、保持具が解除される。保持具はコイルバネの圧力により下方へと操作され、座席のレールに載置される。取付け具が僅かにずらされ、コイルバネの圧力により保持具はその隆起部と共に座席の凹部へ入り込む。
【００２０】
回転小板の回転は、回転小板が連結部材の円柱部に沿って下方へ移動するのを防ぐ筒によって支えられことにより、回転小板の回転が促進される。この実施例では、角状頭部と回転小板の間に、回転小板を連結部材の回転と連動させる拘束リングを備えることが好ましい。
【００２１】
しかし、回転小板と摺動体の間に回転バネを配置する方がより適切である。この回転バネは、保持具が下方に押圧される際に、回転小板を自動的に回転させ、保持具の上側のストッパーによってのみ、その回転が停止される。この場合、取付け具を座席のレールに位置決めし、固定するのに片手で十分である。特にこの点が本発明の利点である。
【００２２】
連結部材は、常に保持具と摺動体を一体化するように調整されている。このことに基づいて、連結部材は円柱部又は摺動体と連結するネジ部及び連結部材が摺動体の孔又はネジ孔から滑り出るのを防止するピンを備えた外部に出ている末端部を備えている。同時に、このピンは連結部材をねじ込み過ぎないようにする端末部材としての役割も果たすのでネジ込む長さは短くてよい。
【００２３】
本発明により、航空機の座席の取付け又は変更時間が著しく短縮される。このことが大幅にコスト削減をもたらす。
【実施例】
【００２４】
以下、図面を用いて、本発明の長所、特徴及び詳細を説明する。
【００２５】
図１には、本発明による保持具２を上部に装着した摺動体１を備えた取付け具Ｐ１が示されている。摺動体１は側方に突出したシ摺動シュー３を有し、ここに述べる実施例では３個の摺動シュー３を備えている。この摺動シュー３により、摺動体１はレール、特に航空機用のレールの溝に受容され、この溝内を滑ることが可能となっている。摺動シュー３は摺動体１の中心部４と連結されており、既に説明したように、その上部に保持具２が装着されている。図２に示されるように、保持具２は、そのＵ−字状の２つ側壁５．１、５．２（それらは図７で明らかなように隆起部６．１、６．２を備えている）によって摺動体の中心部４と噛み合っている。隆起部６．１、６．２のそれぞれは２つの摺動シュー３の間に配置されている。
【００２６】
２つの側壁５．１、５．２は横断壁７を介して互いに連結され、横断壁７は中心部４の表面に当るように構成されている。横断壁７から上方へ２つの側条８．１、８．２が突出し、その前端２４．１、２４．２のそれぞれに、図４に示されるように、切欠き９．１、９．２を形成してもよい。更に、側条８．２からストッパー１０が突出している。
【００２７】
連結部材１１．１は、２つの側条８．１、８．２の間において横断壁７を貫通している。連結部材は、円柱部１３に連結された角状頭部１２．１を有し、図５、６に示されるように、ネジ部１４を有する円柱部１３は摺動体１のネジ孔１５と噛合っている。ネジ部１４はネジ孔１５を貫通し、ネジ孔１５の外側においてピン１６又は類似物により横方向に貫通されている。
【００２８】
円柱部１３には、回転小板１７がＯ−リング状の拘束リング１８を介して角状角部１２．１の下側を支えるように装着されている。
【００２９】
回転小板１７の他端は、回転バネ１９と連結されており、その回転バネの他端２０は横断壁７に固定されている。
【００３０】
更に、保持具２はその横断壁７を介してコイルバネ２１に支えられている。
【００３１】
コイルバネの他端は中心部４に係止されている。
【００３２】
中心部４の上方の保持部２の両側には２つの翼部２２．１、２２．２が備えられ、溝の外側のレールにそって摺動するようになっている。更に、中心部４から飛行機の座席の突起が差し込み可能な固定筒２３が突出している。
【００３３】
以下、図７に基づいて本発明の作用を説明する。
【００３４】
取付け具Ｐ１の最終状態は図７の（ｃ）に示されている。最終状態では保持具２は開放された状態、すなわち、回転小板１７は２つの側条８．１と８．２の間に収容され横断壁７の上に載置されている。図６に示されるように、コイルバネ２１は延びた状態にある。一方回転バネ１９は圧縮された状態にある。
【００３５】
取付け具Ｐ１は、摺動シュー３及び翼部２２．１、２２．２に案内されて、航空機の座席用レールの所望の位置に移動する。取付け具が所望の位置に達したら、隆起部６．１、６．２が座席用レールの対応する凹部と嵌合するように、保持具２はコイルバネ２１の圧に対抗して下方へ押圧される。これにより、隆起部６の面と凹部の面とが一致するので、保持具２のレールにおける位置が定まり、レールに沿って移動できなくなる。
【００３６】
図７（ｂ）に示されるように、保持具２が下方へ移動して、回転小板１７が側条８．１、８．２の前端２４．１及び２４．２を越えると、回転バネ１９が開放されるので、該回転バネは瞬時に回転小板１７へ回転作用を及ぼす。この回転により、回転小板１７はストッパー１０に当り、それ以上は回転しなくなる（図７（ａ）参照）。
【００３７】
連結部材１１．１は回転により下方へ移動し、回転小板１７へ圧力を及ぼすので、回転小板は切欠き９．１、９．２に入り保持具２が下方へ押圧される。同時に摺動体１も引かれるので、航空機の座席用のレールの縁は摺動シュー３と保持具の下端３０に挟まれる。これにより取付け具Ｐ１はがたつかなくなる。
【００３８】
回転バネ１９は無くてもよく、その場合には回転小板１７は拘束リング１８と連動する。回転小板１７がストッパー１０に到達するまで、回転小板により連結部材１１．１も回転する。
【００３９】
実施例として、図８及び図９に示される回転小板１７と中心部４の間の連結部材１１．１の円柱部１３上に位置切替え機構としての筒２５を配置した取付け具Ｐ２も考えられる。この筒２５は、保持具２が下方へ移動する際に、回転小板１７が側条８．１、８．２の前端２４．１．２４．２と交差できるような高さを維持できるように装着されている。連結部材１１．１の回転に際して、拘束リング１８は回転小板１７をストッパー１０に当るまで回転させる。
【００４０】
図１０〜図１３には、簡単な実施例である取付け具Ｐ３が示されている。ここでも、保持具２．１は摺動体１上に載置され、不図示のバネを介して摺動体１の中心部４に支えられている。保持具２．１は、横断ボルト２７を収容する凹部２６を備えている。連結部材１１．２の角状頭部１２．２から突出しているこの横断ボルト２７は、保持具２．１内に収容できる。凹部２６の側壁は、横断ボルトが凹部９へ導かれ保持されるように上り面２８として形成される。
【００４１】
図１２及び１３に示されるように、取付け具Ｐ３の位置決めのために保持具２．１は、角状頭部１２．２が保持具から突き出るまで、下方へと押圧される。同様のやり方で、角状頭部１２．２は９０度回転され係止凹部２９内に係止されるので、保持具２．１は降下した位置に固定される。上述したように、この降下した位置において、隆起部６．１、６．２は航空機の座席用のレールの凹部と嵌合する。
【００４２】
角状頭部１２．２を逆に回転させれば係止状態は解除され、横断ボルト２７は凹部２６へと戻され、バネを緩めると保持具２．１が持上げられる。
【００４３】
ピン１６は、連結部材１１．１及び１１．２が摺動体１と共にその保持位置から外れないように利用される。このピンは、上述した最終位置でも利用されために、特に連結部材１１．１が過剰にねじ込まれないように設定されているので、取付け具Ｐ１を別の位置に設定する場合には、更にネジを回す必要がある。
【００４４】
図１４〜１８に示される実施例のＰ４は、コイルバネ２１が無い点が他の実施例と異なっている。コイルバネ２１の代わりに、コイルバネ３１が備えられているので、保持具２．２は摺動体１を下方へと押圧する。
【００４５】
コイルバネ３１は連結部材１１．１を取り囲む一方で、保持具２．２を回転小板１７．１に対して支えている。この回転小板もコイルバネ３１と角状頭部１２．１との間に配置され、円柱部１３の周りを回転可能に構成されている。回転小板は、図１６に示されるように波型表面３３で覆われた曲げられた杷持部３２を備えている。更に、回転小板は、係止用突起３４及びストッパー用突起３５として形成された、ほぼ対角線上に配置された２つの突起を備えている。
【００４６】
取付け具Ｐ４の作用は、図１７及び１８に基づいて説明する。
【００４７】
ロックされた状態の取付け具Ｐ４は、図１４〜１６に示される最終位置にある。回転小板１７．１が横断して設置されているので、把持部３２は保持具２．２の側壁８．３と交差し、回転小板１７．１が側壁８．３並びに向き合った側壁８．４を押圧するように構成されている。保持具２．２はコイルバネ３１及び回転小板１７．１から加圧されているので連結部材１１．１の回転により角状頭部１２．１及び回転小板１７．１を介しての保持具２．２への圧力が高められる。隆起部６．１、６．２は航空機の座席のレールの凹部に在り、摺動シュー３が航空機の座席のレールに備えられているので、該レールは摺動シュー３と保持具２．１の間に挟まれる。これによって、取付け具Ｐ４は完全に固定される。
【００４８】
取付け具Ｐ４を移動させる際には、先ず連結部材１１．１を緩め、回転小板１７．１を回転可能とする。回転小板１７．１はストッパー３６に当るまで反時計回りに回転される。保持具２．２はコイルバネ３１の力に対抗して持上げられるように、ストッパー３６とストッパー用突起３５とが相互作用するか又は回転小板１７．１の幅が設定されて、回転小板１７．１は側条８．３と８．４の間に収容されるように構成されている。側面に備えられた杷持縁３７．１、３７．１により保持具２．２が持上げ易くなる。
【００４９】
保持具２．２は、ストッパー用突起３５が図１７に示される係止用凹部３８に入り込みと同時に、図１８に示される係止用突起３４が係止用凹部３９に入り込むまで、持上げられる。このようにして、保持具２．２は回転小板１７．１の固定により持上げられるので、取付け具Ｐ４を航空機の座席のレールに沿ってずらすことができる。
【００５０】
取付け具Ｐ４がレールに沿って所望の位置に達したらば、回転小板１７．１を時計周りに回転させるだけで、係止用突起及びストッパー用突起はその係止用凹部３８又は３９から外れ出て、保持具２．２はコイルバネ３１の圧力により航空機の座席のレールを下方へと押圧する。これにより取付け具Ｐ４は、隆起部６．１、６．２が該レールに形成された対応する凹部に達するまで、該レールに沿って押され、隆起部６．１、６．２はコイルバネ３１の圧力により自動的に該凹部へと摺動される。
【００５１】
回転小板１７．１を更に時計周りに約９０度回転させると、回転小板１７．１が２つの側条８．３、８．４と交差するようになる。このため、連結部材１１．１は再度引っ張られ、取付け具Ｐ４はその位置に固定されることになる。
【図面の簡単な説明】
【００５２】
【図１】物体、例えば、航空機の座席を不図示のレールに固定するための本発明による取付け具の側面図
【図２】図１に示された取付け具の正面図
【図３】図１に示された取付け具の背面図
【図４】９０度回転した回転小板を有する図１に示された取付け具の平面図
【図５】図１に示された取付け具の断面図
【図６】図４のＶＩ−ＶＩ線に沿った断面図
【図７】図１、図４に示された取付け具の３つの状態（ａ）、（ｂ）、（ｃ）を示す斜視図
【図８】図１に対応する取付け具の別の側面図
【図９】図８のＩＸ−ＩＸ線に沿った断面図
【図１０】取付け具の別の側面図
【図１１】図１０に示された取付け具の斜視図
【図１２】図１０に示された取付け具の別の状態を示す側面図
【図１３】図１２に示された取付け具の斜視図
【図１４】本発明による別の取付け具の側面図
【図１５】図１４に示された取付け具の正面図
【図１６】図１４に示された取付け具の平面図
【図１７】図１４に示された取付け具の開放された状態を示す斜視図
【図１８】図１７に対応する取付け具の別の方向からの斜視図
【符号の説明】
【００５３】
１    摺動体
２    保持具
３    摺動シュー
４    中心部
５    側壁
６    隆起部
７    横断部
８    側条
９    切欠き
１０  ストッパー
１１  連結部材
１２  角状頭部
１３  円柱部
１４  ネジ部
１５  ネジ孔
１６  ピン
１７  回転小板
１８  拘束リング
１９  回転バネ
２０  他端
２１  コイルバネ
２２  翼部
２３  固定用筒
２４  前端
２５  筒
２６  凹部
２７  横断ボルト
２８  上り面
２９  係止凹部
３０  下端
３１  コイルバネ
３２  把持部
３３  波形表面
３４  係止用突起
３５  ストッパー用突起
３６  ストッパー
３７  把持縁
３８  係止用凹部
３９  係止用凹部
Ｐ１〜Ｐ４    取付け具
【図１】
2008514882.tif 000003
【図２】
2008514882.tif 000004
【図３】
2008514882.tif 000005
【図４】
2008514882.tif 000006
【図５】
2008514882.tif 000007
【図６】
2008514882.tif 000008
【図７】
2008514882.tif 000009
【図８】
2008514882.tif 000010
【図９】
2008514882.tif 000011
【図１０】
2008514882.tif 000012
【図１１】
2008514882.tif 000013
【図１２】
2008514882.tif 000014
【図１３】
2008514882.tif 000015
【図１４】
2008514882.tif 000016
【図１５】
2008514882.tif 000017
【図１６】
2008514882.tif 000018
【図１７】
2008514882.tif 000019
【図１８】
2008514882.tif 000020
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
レールの溝に沿って移動可能な摺動体（１）及び連結部材（１１．１、１１．２）を介して摺動体（１）に連結され且つレールの少なくとも一方の側溝に沿って降下可能な保持具（２、２．１、２．２）を備えた取付け具（Ｐ１、Ｐ２、Ｐ３、Ｐ４）を用いて物体をレールに固定する装置であって、保持具（２、２．１、２．２）が摺動体（１）及び／又は少なくとも１つの力発生源（１９、２１、２３）を介して回転小板（１７、１７．１，１７．２）に支持され、保持具（２、２．１、２．２）は少なくとも２つの垂直方向の位置においてレールに固定され、
保持具（２、２．１、２．２）の上方の回転小板（１７、１７．１、２７）にストッパー（１０、３６）及び／又は少なくとも１つの係止用の切欠き（９．１、９．２）又は係止用凹部（２９、３８、３９）が配置されていることを特徴とするレールへの物体固定装置。
【請求項２】
前記レールは航空機の座席用レールであることを特徴とする請求項１に記載のレールへの物体固定装置。
【請求項３】
前記力発生源はコイルバネ（１９、２１、３１）であることを特徴とする請求項１又は請求項２に記載のレールへの物体固定装置。
【請求項４】
コイルバネ（１９、３１）は連結部材（１１．１、１１．２）を取り囲んでいることを特徴とする請求項３に記載のレールへの物体固定装置。
【請求項５】
連結部材（１１．１、１１．２）は角状頭部（１２．１、１２．２）を備えていることを特徴とする請求項１ないし請求項４のいずれか１項に記載のレールへの物体固定装置。
【請求項６】
保持具（２．１）の凹部（２６）と噛合う横断ボルト（２７）が連結部材（１１．２）から突出していることを特徴とする請求項１ないし請求項５のいずれか１項に記載のレールへの物体固定装置。
【請求項７】
凹部（２６）が横断ボルト（２７）を上昇させる上り面（２８）を備えていることを特徴とする請求項６に記載のレールへの物体固定装置。
【請求項８】
係止用凹部（２９）へと案内する上り面（２８）は、凹部（２６）を９０度回転した方向に形成されていることを特徴とする請求項７に記載のレールへの物体固定装置。
【請求項９】
連結部材（１１．１）に回転小板（１７、１７．１）が配置されていることを特徴とする請求項１ないし請求項５のいずれか１項に記載のレールへの物体固定装置。
【請求項１０】
回転小板（１７．１）に２つの互いに向き合った係止用又はストッパー用突起（３４、３５）を備え、それら突起の係止用凹部（３８、３９）が保持具（２．２）の側条（８．３、８．４）に配置されていることを特徴とする請求項９に記載のレールへの物体固定装置。
【請求項１１】
回転小板（１７．１）が把持部（３２）を備えていることを特徴とする請求項９又は請求項１０に記載のレールへの物体固定装置。
【請求項１２】
回転小板（１７）と角状頭部（１２．１）の間に拘束リング（１８）が備えられていることを特徴とする請求項９ないし請求項１１のいずれか１項に記載のレールへの物体固定装置。
【請求項１３】
回転小板（１７）の下に、一端が該回転小板に連結され且つ他端が摺動体（１）に連結された回転バネ（１９）が配置されていることを特徴とする請求項９ないし請求項１２のいずれか１項に記載のレールへの物体固定装置。
【請求項１４】
回転小板（１７）の下に、他端が摺動体（１）に支えられた筒（２５）が配置されていることを特徴とする請求項９ないし請求項１３のいずれか１項に記載のレールへの物体固定装置。
【請求項１５】
連結部材（１１．１）が、摺動体（１）のネジ孔（１５）と噛合っているネジ部（１４）を備えことを特徴とする請求項１ないし請求項１４のいずれか１項に記載のレールへの物体固定装置。
【請求項１６】
ネジ部（１４）がネジ孔（１５）を貫通し、ネジ孔（１５）の後方においてピン（１６）により貫通されていることを特徴とする請求項１５に記載のレールへの物体固定装置。
【手続補正２】
【補正対象書類名】明細書
【補正対象項目名】０００１
【補正方法】変更
【補正の内容】
【０００１】
本発明は、摺動体を用いてレールに沿った溝内を可動とし且つレールの側面の溝内に取り付け可能であり、更に回転可能な連結部材を介して摺動体と連結可能で且つ摺動体及び／又は少なくとも１つの力発生源を介して回転小板に支持され、少なくとも２つの垂直方向の位置においてレールに固定する保持具を備えた取付け具を用いてレールへ物体を固定する装置に関する。
【手続補正３】
【補正対象書類名】明細書
【補正対象項目名】０００６
【補正方法】変更
【補正の内容】
【０００６】
保持具を降下させて固定するため、保持具を押圧するネジが備えられ、それによって保持具は下方へ降下する。この場合、保持具は降下並びに上昇できるが、長いネジが必要であることが問題である。このことは極めて多大な時間を要し、煩雑であり、時には取付け具が座席のレールの所定の位置に固定されないことも起こるので、がたがた音、更に取付け具に緩みが生じ、極めて好ましくない。
ネジを用いて保持具を降下、固定させるこのような装置は米国特許第４，７９６，８３７号明細書に記載されている。
更に、米国特許第４，４９３，４７０号明細書には、摺動体によりレールに沿って可動であり且つレールの側方の溝内を上下可能な保持具を備えた取付け具を用いて物体をレールに固定する装置が開示されている。保持具は円筒状の連結部材を介して摺動体と連結され、押圧バネを介して摺動体及び／又は移動機構に対して支えられている。装置をずらすか又は固定するためには、移動機構が簡単に作動することが必要である。
この装置では、がたつき又は緩みを完全には排除できないとの問題がある。
更に、取付け具を用いて物体をレールに固定する装置について、米国特許第５，８７１，３１８号明細書に記載されている。ここでは保持具の降下及び固定するため、保持具を回転することにより少なくとも垂直方向の２ケ所でレールに固定する固定ピンが用いられている。
この装置は、複雑な多数の構成要素を備えている点が問題である。そのため、確実には装置をレールへ固定できない。
【手続補正４】
【補正対象書類名】明細書
【補正対象項目名】０００７
【補正方法】変更
【補正の内容】
【０００７】
本発明の目的は上記問題点が解決される迅速に開放され且つ迅速に別の所望の位置に固定できる締付け具を備えた装置を提供することである。同時に、装置のがたつきが防止でき、取付け具が確実に固定できるようになる。
【手続補正５】
【補正対象書類名】明細書
【補正対象項目名】０００８
【補正方法】変更
【補正の内容】
【０００８】
この課題は、保持具の上方の回転機構にストッパー及び又は少なくとも１つの休止用切欠き又は休止用凹部を配置することにより解決される。
ストッパー及び又は少なくとも１つの休止用切欠き又は休止用凹部を備えることにより保持具が確実に固定できるようになる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明による簡単な実施例では、回転機構は、連結部材、特に連結部材の角状頭部から突出した横断ボルトである。横断ボルトは取付け具がずらされた状態において保持具の凹部と嵌合する。その際、角状頭部も保持具に埋没した状態になる。
【手続補正１０】
【補正対象書類名】明細書
【補正対象項目名】００１３
【補正方法】変更
【補正の内容】
【００１３】
横断ボルトを滑り落とし係止凹部へと案内するために、凹部は上り面を形成することが好ましく、横断ボルトは約９０度回転され凹部へと落込む。
スパナが使えるように、連結部材は角状頭部を備えることが好ましい。
【手続補正１１】
【補正対象書類名】明細書
【補正対象項目名】００１５
【補正方法】変更
【補正の内容】
【００１５】
改良された実施例では、回転機構は連結部材に配置された回転小板である。この回転小板は、取付け具がずらされた状態において保持具に受容されるように形成されている。しかし、取付け具を固定するために、保持具を力発生源の力に抗して手動で下方へ押圧すると、回転小板は保持具から突出し、約９０度回転できるようになる。その際、回転小板は保持具と交差し、休止用切欠きへ入り込むので、ずらされた状態へは戻れなくなる。
力発生源としてコイルバネが提供されるが、板バネなどを使用してもよい。コイルバネは連結部材を包んで内部から支えるので、コイルバネを選択するのが最適である。
【手続補正１２】
【補正対象書類名】明細書
【補正対象項目名】００２２
【補正方法】変更
【補正の内容】
【００２２】
連結部材は、常に保持具と摺動体を一体化するように調整されている。このことに基づいて、連結部材は円柱部又は摺動体と連結するネジ部及び連結部材が摺動体の孔又はネジ孔から滑り出るのを防止するピンを備えた外部に出ている末端部を備えている。同時に、このピンは連結部材をねじ込み過ぎないようにする端末部材としての役割も果たすのでネジ込む長さは短くてよい。
上述のように、本発明では航空機の座席のレールに取付け具を固定し且つ座席の位置を変えることができる。
【国際調査報告】
2008514882.tif 000021
2008514882.tif 000022
2008514882.tif 000023
2008514882.tif 000024